(57)【要約】【課題】本発明は、接地極付きコンセントであっても、機器をコンセントの面に密接させて確実に機器をコンセントに差し込める構造を提供することを目的としている。【解決手段】本発明に係る機器の筺体構造は、筺体１の背面１ａ側にはプラグを構成する栓刃２が突設され、栓刃２が筺体１から突出する面を基準として、栓刃２の下方部を窪ませて凹部５を形成し、凹部５に接地線を対向させることで安定した状態で機器を使用できることを特徴とする。【選択図】図１
2011108371.tif 000002
【特許請求の範囲】
【請求項１】
住宅の壁面に設けられたコンセントにプラグを差し込んで用いられる機器の筺体構造であって、該筺体の背面側にはプラグを構成する栓刃が突設され、該栓刃が前記筺体から突出する面を基準として、該栓刃の下方部を窪ませて凹部を形成することを特徴とする機器の筺体構造。
【請求項２】
前記機器の筺体構造であって、前記栓刃の下方部と共に、上方部を窪ませて凹部を形成することを特徴とする機器の筺体構造。
【発明の詳細な説明】
【技術分野】
【０００１】
本発明は、住宅の壁面に設けられたコンセントにプラグを差し込んで用いられる機器の筺体構造に関するものである。
【背景技術】
【０００２】
接地極付きコンセントは、負荷機器に接続された接地線がコンセント表面に配線することができるコンセントである。近年内線規程により、接地極付きコンセントは、台所、洗面所、トイレなどの水周りのコンセントとして使用が義務化され、住宅内においても多く使われるようになってきている。
【０００３】
電源アダプタ等のように、コンセントにプラグを差し込んで用いられる機器３１の筺体３１ａは、略平面で構成され、コンセントに接する側の面にプラグを構成する栓刃３２を突設している。図６に示すように、通常のコンセントにこのような機器３１を接続する場合には、栓刃３２をコンセントに差し込んで、栓刃３２の突設された面をコンセントに密接させて使用する。ところが図２に示すようなコンセントが接地極付きのものの場合、接地線がコンセント表面に配線されており、機器の筺体の背面側は平面であるため、接地線が障害となって確実にコンセントに差し込むことができないことがあった。
【０００４】
コンセントに機器の背面が密接せず、隙間があると、塵埃がたまり湿気を含むとトラッキング現象が発生して火災につながる虞があった。
【０００５】
そこで図７に示すように、機器３３の背面側にプラグを構成する栓刃３４を突設し、栓刃３４の周辺部分を機器３３の筺体３３ａの面より高く設け、接地極付きコンセントに接続された接地線が干渉しないような形状が考えられている。
【先行技術文献】
【特許文献】
【０００６】
【特許文献１】特開２００１−３２６０３０号公報
【発明の概要】
【発明が解決しようとする課題】
【０００７】
しかしながら、上記機器３３の筺体３３ａのように、栓刃３４の周囲部分のみを突出させた形状の場合、図８に示すように矢印Ａ方向に何らかの力が加わったとき、コンセント表面と機器３３の筺体３３ａ背面との間に隙間Ｓがあるため、栓刃３４がコンセントからすぐに抜けてしまうという欠点があった。
【課題を解決するための手段】
【０００８】
そこで本発明は、接地極付きコンセントであっても、確実に機器をコンセントに差し込める構造を提供することを目的とし、その構造は、筺体の背面側にはプラグを構成する栓刃が突設され、栓刃が筺体から突出する面を基準として、栓刃の下方部を窪ませて凹部を形成することを特徴とする。
【０００９】
また、栓刃の下方部と共に、上方部を窪ませて凹部を形成することを特徴とする。
【発明の効果】
【００１０】
本発明に係る機器の筺体構造は、筺体の背面側にはプラグを構成する栓刃が突設され、栓刃が筺体から突出する面を基準として、栓刃の下方部を窪ませて凹部を形成するため、接地極付きコンセントに機器を接続する場合にも、接地極に接地線が接続されていても、確実にコンセントに栓刃を差し込むことができる。また、コンセントに栓刃を差し込んだ状態で機器は安定してコンセントに密接し、機器がぐらついて栓刃が容易に抜けてしまうことがなく、安全に機器の使用ができるという利点がある。本発明の構造では、筺体の背面側のみ窪みを設けるため、表面の意匠については影響を与えることがない。凹部の周囲には、肉部があるため、機器の端部を押しても、機器がくらついたりすることがなく、コンセントから栓刃が抜ける心配もない。
【図面の簡単な説明】
【００１１】
【図１】本発明の請求項１に係る機器の筺体構造を示す説明図である。
【図２】接地極付きコンセントの説明図である。
【図３】図１の機器を接地極付きコンセントに接続した状態を示す説明図である。
【図４】本発明の請求項２に係る機器の筺体構造を示す説明図である。
【図５】図４の機器を接地極付きコンセントに接続した状態を示す説明図である。
【図６】従来の機器の筺体構造を示す説明図である。
【図７】従来の機器の筺体構造を示す説明図である。
【図８】図７の機器をコンセントに接続した状態の側面図である。
【発明を実施するための形態】
【００１２】
本発明に係る機器の筺体構造を図１〜図５の添付図面に基いて説明する。
【００１３】
電源アダプタ等のように、背面１ａ側にプラグを構成する栓刃２を突出させて、栓刃２をコンセントに差し込んで用いる機器の筺体１の構造である。本発明に係る機器の筺体構造は、近年、内線規程により台所、洗面所、トイレなどの水周りのコンセントとして使用が義務化された接地極付きコンセント３に接続するときに大きな効果がある。
【００１４】
接地極付きコンセント３は、任意の口数のコンセント口３ａの最下位置に接地極３ｂが設けられることが多い。接地極３ｂには、接地線４がコンセント３の表面で配線される。その状態でコンセント３に栓刃２を差し込むと、接地線４が邪魔になり確実には栓刃２が差し込まれないことがある。
【００１５】
本発明に係る機器は、筺体の背面に栓刃を設け、栓刃をコンセントに差し込んで電源をとるように構成されている。本発明に係る機器の筺体構造は、栓刃２の設けられた筺体の背面１ａ側に、機器をコンセント３に接続したときに接地線４と対向する位置を窪ませ凹部５を形成するものである。接地線４がコンセント３の表面で配線されていても、その部分を避けて、機器をコンセント３に密接させて接続することができる構造である。筺体１の凹部５は一部にのみ設けられているため、コンセント口３ａに栓刃２を差し込んだ状態で、機器がぐらついたりすることもなく、容易に抜け落ちることがない。
【００１６】
本発明の請求項２に係る機器の筺体構造は、筺体１に設ける凹部５を筺体１の下部に設けると共に、上部にも設けることである。接地線４がコンセント３の表面で配線されていても、その部分を避けて、機器をコンセント３に密接させて接続することができる構造である。筺体１の凹部５は一部にのみ設けられているため、コンセント口３ａに栓刃２を差し込んだ状態で、機器がぐらついたりすることもなく、容易に抜け落ちることがない。また、栓刃２をコンセント口３ａに差し込むときに、機器の上下を気にかける手間を省くことができ、どちら向きにも接地線４を避けてコンセント３に接続することができる。
【符号の説明】
【００１７】
１    筺体
１ａ  背面
２    栓刃
３    コンセント
３ａ  コンセント口
３ｂ  接地極
４    接地線
５    凹部
【図１】
2011108371.tif 000003
【図２】
2011108371.tif 000004
【図３】
2011108371.tif 000005
【図４】
2011108371.tif 000006
【図５】
2011108371.tif 000007
【図６】
2011108371.tif 000008
【図７】
2011108371.tif 000009
【図８】
2011108371.tif 000010